(57)【要約】【課題】被写体輝度が著しく低い場合、正確な被写体輝度を測定できないことがある。これは、被写体輝度が低すぎ、撮像素子の測光可能ダイナミックレンジに入らないためである。被写体輝度が低い場合、絞り径を最大にし、かつ、非本露光用駆動において可能な限り露光時間を長くとることで、より多くの光を取り込むことを試みるが、それでも撮像素子の持つ測光可能範囲に入らない場合がある。正確な被写体輝度が測定できていない状態では、適正露出を得ることができず、ひいては露出のずれた状態で撮影を行ってしまうといった問題がある。本発明では被写体輝度が低い場合においても正確な測光を行うことを目的とする。【解決手段】ＣＣＤなどのイメージセンサを搭載したデジタルスチルカメラ。【選択図】　　　　図１
2004096352.tif 000002
【特許請求の範囲】
【請求項１】
長時間露光が可能な駆動と不可な駆動の、複数の駆動を切り替え可能な撮像素子を持つ撮像手段と、撮像した画像を処理する画像処理手段と、前記画像処理手段から被写体輝度を求める輝度算出手段と、撮像素子の露光量を調節する調節手段とを有するカメラにおいて、被写体輝度が低い場合、撮像素子の駆動を長時間露光可能な駆動に切り替えて長時間露光させ、正確な被写体輝度を測定するカメラ。
【発明の詳細な説明】
【０００１】
【発明の属する技術分野】
本発明は、静止画像を撮像、記録する画像処理装置及び画像処理装置制御方法に関する。
【０００２】
【従来の技術】
スチルカメラでは、被写体の輝度を測定し、その輝度から露出が適正になるように絞りやシャッター速度を調節する　ＡＥ（Ａｕｔｏｍａｔｉｃ　Ｅｘｐｏｓｕｒｅ：自動露出制御）機能が一般的なものとなっている。被写体の輝度を測定する際、カメラに測光センサーを搭載する必要があるが、ＣＣＤなどの撮像素子を用いて撮影するデジタルスチルカメラでは、撮像素子を使用して測光を行うことができ、この場合、別途測光センサーを搭載する必要がなくなる。これにより、コストが削減できるというメリットの他、必然的にＴＴＬ測光（Ｔｈｒｏｕｇｈ　Ｔｈｅ　Ｌｅｎｓ：カメラのレンズを光が通ること）となり、より本撮影に近い条件で測光できるというメリットもある。
【０００３】
この撮像素子には、長時間露光可能で全画素読み出し可能な本露光用駆動と、露光時間に限界があり一部画素のみ読み出しが可能な非本露光用駆動がある。測光においては、その所要時間が極力短いことが望まれるため、読み出しが短時間で行える非本露光用駆動が用いられている。
【０００４】
【発明が解決しようとする課題】
被写体輝度が著しく低い場合、正確な被写体輝度を測定できない場合がある。これは、被写体輝度が低すぎ、撮像素子の測光可能ダイナミックレンジに入らないためである。被写体輝度が低い場合、絞り径を最大にし、かつ、非本露光用駆動において可能な限り露光時間を長くとることで、より多くの光を取り込むことを試みるが、それでも撮像素子の持つ測光可能範囲に入らない場合がある。
【０００５】
正確な被写体輝度が測定できていない状態では、適正露出を得ることができず、ひいては露出のずれた状態で撮影を行ってしまうといった問題がある。
【０００６】
本発明では被写体輝度が低い場合においても正確な測光を行うことを目的とする。
【０００７】
【課題を解決するための手段】
上述した目的を達成するために、本発明の請求項１に係る発明によれば、本撮影に適した長時間露光可能な駆動と、測光に適した長時間露光不可な駆動を持つ撮像素子と、撮像素子で露光したデータから輝度を算出する計算器と、撮像素子への受光量を調節する絞り機構を備えたカメラにおいて、被写体輝度が低い場合、撮像素子の駆動を長時間露光可能な駆動にし、長時間露光することで、正確な被写体輝度を測定することが可能となるカメラ。
【０００８】
【発明の実施の形態】
以下、添付の図面に沿って本発明の実施の形態を説明する。
【０００９】
図１は、撮像素子のダイナミックレンジを図示したものである。横軸に実際の被写体輝度をとり、縦軸に撮像素子で計測した輝度をとる。
【００１０】
線形領域においては、被写体輝度と測定輝度が一致している状態を表しており、非線形領域においては、被写体輝度と測定輝度が一致していない状態を表している。輝度が高くなる、あるいは低くなると、線形領域をはずれ、非線形領域に突入する。この、非線形領域での輝度測定は、正常な輝度が測定できなくなることを意味する。この線形領域はダイナミックレンジとされ、撮像素子を用いての測光可能範囲となる。
【００１１】
正確な測光を行うためには図１の線形領域に入ることが必要である。これは、絞り径を変化させる、または、露光時間を変化させることで実現が可能となる。
【００１２】
例えば被写体輝度が低い場合、絞り径を大きくする、または露光時間を長くする。絞り径を大きくすることでより多くの光を取り込むことが可能となり、また、露光時間を長くすることでより長く撮像素子を露出することが可能となり、線形領域にて輝度を測定することが可能となる。逆に被写体輝度が高い場合、絞り径を小さくする、または露光時間を短くする。絞り径を小さくすることで取り込む光の量を制限し、また、露光時間を短くすることで撮像素子を露出させる時間を短くすることが可能となり、線形領域にて輝度を測定することが可能となる。
【００１３】
図２に、システム全体構成図を示す。
【００１４】
図２は、本発明の実施形態の構成を示す図である。図２において、１００は画像処理装置である。１０は撮影レンズ、１２は絞り機能を備えるメカニカルシャッターであり、ここで絞り径を調節することで、撮像素子に受光する光量を変化させることが可能である。１４は光学像を電気信号に変換する撮像素子である。撮像素子は、長時間露光可能で全画素読み出し可能な本露光用駆動と、露光時間に限界があり一部画素のみ読み出しが可能な非本露光用駆動を持ち、それぞれを切り替えて使用することが可能である。
【００１５】
１６は撮像素子１４のアナログ信号出力をディジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１６】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（Ｔｈｒｏｕｇｈ　Ｔｈｅ　Ｌｅｎｓ）方式のＡＦ（Ａｕｔｏ　Ｆｏｃｕｓ）処理、ＡＥ（Ａｕｔｏｍａｔｉｃ　Ｅｘｐｏｓｕｒｅ）処理、ＥＦ（Ｅｌｅｃｔｒｉｃａｌ　Ｆｌａｓｈ）処理を行っている。さらに、画像処理回路２０においては、撮像した画像データを用いて所定の演算処理を行い、得られた演算結果に基づいてＴＴＬ方式のＡＷＢ（Ａｕｔｏ　Ｗｈｉｔｅ　Ｂａｌａｎｃｅ）処理も行っている。
【００１７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１８】
２４は画像表示メモリ、２６はＤ／Ａ変換器、２８はＴＦＴやＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。さらに、画像表示部２８は、回転可能なヒンジ部によって画像処理装置１００本体と結合されており、自由な向き、角度を設定して電子ファインダ機能や再生表示機能、各種表示機能を使用することが可能である。また、画像表示部２８の表示部分を画像処理装置１００に向けて格納することが可能であり、この場合は画像表示部開閉検知手段１０６により、格納状態を検知して画像表示部２８の表示動作を停止することが出来る。
【００１９】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。３２は適応離散コサイン変換（Ａｄａｐｔｉｖｅ　Ｄｉｓｃｒｅｔｅ　Ｃｏｓｉｎｅ　Ｔｒａｎｓｆｏｒｍ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２０】
４０は絞り機能を備えるメカニカルシャッター１２を制御する露光制御手段であり、内蔵フラッシュ７８、フラッシュ装置４００と連携することによりフラッシュ調光機能も有するものである。
【００２１】
４２は撮影レンズ１０のフォーカシングを制御する測距制御手段である。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２２】
４４は撮影レンズ１０のズーミングを制御するズーム制御手段、４６はバリアである保護手段１０２の動作を制御するバリア制御手段である。
【００２３】
４８はコネクタであり、アクセサリーシューとも呼ばれ、フラッシュ装置４００との電気接点や機械的な固定手段も合わせて備えている。
【００２４】
５０は画像処理装置１００全体を制御するシステム制御回路、５２はシステム制御回路５０の動作用の定数、変数、プログラム等を記憶するメモリである。
【００２５】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダ１０４内に設置されている。表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、等がある。また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００２６】
５６は電気的に消去・記録可能な不揮発性メモリであり、例えばＥＥＰＲＯＭ等が用いられる。
【００２７】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。ここで、これらの操作手段の具体的な説明を行う。
【００２８】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００２９】
６２はシャッタースイッチＳＷ１で、不図示のシャッターボタンの操作途中でＯＮとなり、ＡＦ（Ａｕｔｏ　Ｆｏｃｕｓ）処理、ＡＥ（Ａｕｔｏ　Ｅｘｐｏｓｕｒｅ）処理、ＡＷＢ（Ａｕｔｏ　Ｗｈｉｔｅ　Ｂａｌａｎｃｅ）処理、ＥＦ（Ｅｌｅｃｔｒｉｃａｌ　Ｆｌａｓｈ）処理等の動作開始を指示する。
【００３０】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３１】
６６は画像表示ＯＮ／ＯＦＦスイッチで、画像表示部２８のＯＮ／ＯＦＦを設定することが出来る。この機能により、光学ファインダ１０４を用いて撮影を行う際に、ＴＦＴやＬＣＤ等から成る画像表示部への電流供給を遮断することにより、省電力を図ることが可能となる。
【００３２】
６８は単写／連写スイッチで、シャッタースイッチＳＷ２を押した場合に１駒の撮影を行って待機状態とする単写モードとシャッタースイッチＳＷ２を押している間は連続して撮影を行い続ける連写モードとを設定することが出来る。
【００３３】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままディジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生モードスイッチ、撮影モード状態において、撮影した画像をメモリ３０或いは記録媒体２００或いは２１０から読み出して画像表示部２８によって表示する再生動作の開始を指示する再生スイッチ等がある。
【００３４】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３５】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３６】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（Ｒ））カード等の規格に準拠したものを用いて構成して構わない。さらに、インターフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００３７】
１０２は、画像処理装置１００のレンズ１０を含む撮像部を覆う事により、撮像部の汚れや破損を防止するバリアである保護手段である。
【００３８】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００３９】
１０６は画像表示部開閉検知手段であり、画像表示部２８が、画像表示部２８の表示部分を画像処理装置１００に向けて格納した格納状態にあるかどうかを検知することが出来る。ここで、格納状態にあると検知したならば画像表示部２８の表示動作を停止して不要な電力消費を禁止することが可能である。
【００４０】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信手段１１０により画像処理装置１００を他の機器と接続するコネクタ或いは無線通信の場合はアンテナである。
【００４１】
２００はメモリカードやハードディスク等の記録媒体である。記録媒体２００は、半導体メモリや磁気ディスク等から構成される記録部２０２、画像処理装置１００とのインターフェース２０４、画像処理装置１００と接続を行うコネクタ２０６を備えている。２１０はメモリカードやハードディスク等の記録媒体である。記録媒体２１０は、半導体メモリや磁気ディスク等から構成される記録部２１２、画像処理装置１００とのインターフェース２１４、画像処理装置１００と接続を行うコネクタ２１６を備えている。
【００４２】
４００はフラッシュ装置である。４０２は画像処理装置１００のアクセサリーシューと接続するためのコネクタである。４０４はフラッシュであり、ＡＦ補助光の投光機能、フラッシュ調光機能も有する。
【００４３】
図３、図４、図５は、図２を使用しての測光処理のフローチャートである。
【００４４】
システム制御回路５０は撮像素子１４の駆動を、露光時間に限界があり一部画素のみ読み出しが可能な非本露光用駆動に設定する（Ｓ２５０）。撮像素子１４において露光された電荷信号を読み出し、Ａ／Ｄ変換器１６を介して画像処理回路２０に撮影画像データを逐次読み込む（Ｓ２５１、Ｓ２５３）。この逐次読み込まれた画像データを用いて、画像処理回路２０はＴＴＬ（Ｔｈｒｏｕｇｈ　Ｔｈｅ　Ｌｅｎｓ）方式のＡＥ（Ａｕｔｏ　Ｅｘｐｏｓｕｒｅ）処理に用いる所定の演算を行っている。
【００４５】
画像処理回路２０での演算結果を用いて、システム制御回路５０は被写体輝度を算出する（Ｓ２５５）。次に、あらかじめ用意しておいた基準輝度と算出した輝度を比較することで、計測した輝度が、撮像素子の線形領域において計測されたものなのか判断する（Ｓ２５９）。基準輝度との比較により、計測した輝度が、非線形領域で計測されたものであると判断された場合、絞りや電子シャッターを操作することで露出状態を変更し、撮像素子に露光される露光量を調節する（Ｓ２５７）。再度、所定の短時間露光（Ｓ２５１）、画像読み込み（Ｓ２５３）、輝度算出（Ｓ２５５）、輝度確定判断（Ｓ２５９）の繰り返しを、輝度が確定するまで行う。この際、被写体輝度が著しく低く、輝度が確定できない場合がある。その際、所定回数輝度確定（Ｓ２５９）を行っても輝度が確定しない場合、その時点の輝度で確定とする。
【００４６】
輝度確定後、システム制御回路５０は、フラッシュ発光が必要か否かを判断する（Ｓ２０３）。確定した輝度で適正露出になるように決定したシャッター速度が所定速度より遅い場合、手ぶれの可能性が高くなり、フラッシュ発光が必要と判断される。また、操作部７０によりユーザーが選択したフラッシュ発光Ｏｎ／Ｏｆｆ設定がＯｎの場合も、フラッシュ発光が必要と判断される（Ｓ２０３）。
【００４７】
フラッシュ発光が必要と判断（Ｓ２０３）された場合、フラッシュ充電を開始（Ｓ２０５）し、再度測光（測光Ａ）を行う。その際、フラッシュを発光（Ｓ２０７）させることで、被写体輝度を高め、測光（Ｓ２０９）の輝度計測結果が確定しやすくすることができる。被写体輝度が確定したのち、絞り値、シャッター値を求め、本撮影のための露出制御値を確定（Ｓ２１１）し、測定データ及び或いは設定パラメータをシステム制御回路５０の内部メモリ或いはメモリ５２に記憶する（Ｓ２１７）。
【００４８】
シャッター速度が所定速度より遅いがフラッシュ発光が不必要と判断（Ｓ２０３）された場合、測定した輝度（Ｓ２０１）が所定の輝度より低いかどうか判断する（Ｓ２１２）。低くないと判断された場合、測定した輝度（Ｓ２０１）を用いて絞り値、シャッター速度を求め、本撮影のための露出制御値を確定（Ｓ２１４）し、測定データ及び或いは設定パラメータをシステム制御回路５０の内部メモリ或いはメモリ５２に記憶する（Ｓ２１７）。ここで低いと判断（Ｓ２１２）された場合、再度測光（測光Ｂ）を行う。被写体の輝度が低いことから、輝度は正確なものでないことが想定される。被写体の輝度が低い場合、短時間の露光では十分な露光量が得られないため、撮像素子の線形領域で輝度計測できるよう、長時間露光する（Ｓ２７１）。この時、長時間での露光を可能とするために、あらかじめ、撮像素子の駆動を長時間露光可能で全画素読み出し可能な本露光用駆動に切り替えておく。（Ｓ２７７）露光された電荷を読み出し、Ａ／Ｄ変換器１６を介して画像処理回路２０に撮影画像データを逐次読み込む（Ｓ２７３）。読み出したデータから、被写体輝度を算出する（Ｓ２７５）。算出した輝度から、絞り値、シャッター速度を求め、本撮影のための露出制御値を確定（Ｓ２１５）し、測定データ及び或いは設定パラメータをシステム制御回路５０の内部メモリ或いはメモリ５２に記憶する（Ｓ２１７）。
【００４９】
確定した露出制御値は、後の本撮影時の絞り制御、シャッター制御に用いられ、適正露出での撮影が可能となる。
【００５０】
（他の実施形態）
本発明は、被写体輝度が低い場合、撮像素子に長時間露光させることで、正確な被写体輝度を得ようとするものである。実施形態で示した測光時のフローでは、測光のための露光を行っているが、静止画を連続して複数枚撮影する連写の場合、前回の本撮影での露光をもとに、輝度計測を行うことができる。そしてその輝度をもとに、次の本撮影用の絞り値、シャッター速度を決定することができる。この場合、輝度計測の為だけに露光をする必要がなくなるため、短い撮影間隔が要求される連続撮影には非常に適している。
【００５１】
また実施形態では、まず短時間露光による測光（測光Ａ）を行っているが、最初から、長時間露光による測光（測光Ｂ）を行っても良い。ただしこの場合、長時間露光させる時間の目安がつかないため、過度な露光への配慮が必要となる。
【００５２】
【発明の効果】
以上説明したように被写体輝度が低い場合、長時間露光させ、撮像素子の線形領域で輝度を測定することにより、正確な被写体輝度を求めることが可能となる。これにより、適正な露出値を求めることができ、露出の合った撮影が可能となる。
【図面の簡単な説明】
【図１】撮像素子のダイナミックレンジ。
【図２】システム全体構成図。
【図３】測光メインフロー。
【図４】短時間露光による測光フロー。
【図５】長時間露光による測光フロー。
【符号の説明】
１０　撮影レンズ
１２　シャッター
１４　撮像素子
１６　Ａ／Ｄ変換器
１８　タイミング発生回路
２０　画像処理回路
２２　メモリ制御回路
２４　画像表示メモリ
２６　Ｄ／Ａ変換器
２８　画像表示部
３０　メモリ
３２　画像圧縮・伸長回路
４０　露光制御手段
４２　測距制御手段
４４　ズーム制御手段
４６　バリア制御手段
４８　コネクタ（アクセサリーシュー）
５０　システム制御回路
５２　メモリ
５４　表示部
５６　不揮発性メモリ
６０　モードダイアルスイッチ
６２　シャッタースイッチＳＷ１
６４　シャッタースイッチＳＷ２
６６　画像表示ＯＮ／ＯＦＦスイッチ
６８　単写／連写スイッチ
７０　操作部
７８　内蔵フラッシュ
８０　電源制御手段
８２　コネクタ
８４　コネクタ
８６　電源手段
９０　インターフェース
９２　コネクタ
９４　インターフェース
９６　コネクタ
９８　記録媒体着脱検知手段
１００　画像処理装置
１０２　保護手段
１０４　光学ファインダ
１０６　画像表示部開閉検知手段
１１０　通信手段
１１２　コネクタ（またはアンテナ）
２００　記録媒体
２０２　記録部
２０４　インターフェース
２０６　コネクタ
２１０　記録媒体
２１２　記録部
２１４　インターフェース
２１６　コネクタ
４００　フラッシュ装置
４０２　コネクタ
４０４　フラッシュ
【図１】
2004096352.tif 000003
【図２】
2004096352.tif 000004
【図３】
2004096352.tif 000005
【図４】
2004096352.tif 000006
【図５】
2004096352.tif 000007